(57)【特許請求の範囲】
【請求項１】
表面が塗装されるべき塗装部分と、表面が非塗装とされるべき非塗装部分とを備え、車両牽引用フックを貫通可能とさせるフック孔を上記塗装部分に形成し、上記非塗装部分に開口を形成した車両用バンパーの成形方法において、
上記フック孔を開閉可能とするフックカバーに形状が合致するカバー体を設け、バンパーの正面視で、上記カバー体の全体を上記開口内に配置すると共に、上記カバー体を上記非塗装部分の表面よりも外方もしくは内方に偏位させて、上記カバー体を上記開口の開口縁部の近傍における上記バンパーの塗装部分もしくは非塗装部分に対し取り外し可能に一体的に固着し、上記バンパーから上記カバー体を取り外した後の上記開口と、この開口の開口縁部の近傍部分とを、その外方からライセンスプレートにより覆うようにしたことを特徴とする車両用バンパーの成形方法。
【請求項２】
上記カバー体を上記非塗装部分の表面よりも外方に配置して、上記塗装部分に対し取り外し可能に一体的に固着し、上記塗装部分と非塗装部分との境界線に沿って棚部を形成し、上記塗装部分への塗装時に上記非塗装部分の表面を覆うマスキング材の外縁部が上記棚部に係止可能とされるようにし、上記棚部の一部分に切り欠きを形成し、上記バンパーの正面視で、上記塗装部分へのカバー体の固着部側と上記切り欠きとを互いに同じところに配置したことを特徴とする請求項１に記載の車両用バンパーの成形方法。
【請求項３】
上記バンパーの正面視で、上記フック孔とカバー体とを互いにほぼ同じ高さに配置したことを特徴とする請求項１、もしくは２に記載の車両用バンパーの成形方法。
【発明の詳細な説明】
【技術分野】
【０００１】
本発明は、バンパーに形成されたフック孔を開閉可能とするフックカバーにつき、形状が合致するカバー体を一体的に備えた車両用バンパーの成形方法に関するものである。
【背景技術】
【０００２】
上記車両用バンパーには、従来、下記特許文献１，２に示されるものがある。
【０００３】
上記特許文献１の公報のものによれば、バンパーは、互いに個別に形成されて互いに連結される上、下部バンパーを備えている。これら上、下部バンパーのうち、下部バンパーにランプ取り付け用のランプ孔が形成されている。一方、上部バンパーに上記ランプ孔を閉じるランプカバーが取り外し可能に一体的に固着されている。このランプカバーは、上記上部バンパーの下端部から下方に向かって突出している。
【０００４】
ここで、上記構成のバンパーは、ランプを取り付けない場合のものである。一方、上記バンパーに対しランプを取り付けようとするときには、まず、上記上部バンパーからランプカバーを取り外す。そして、この取り外しにより開かれた上記ランプ孔に、ランプを嵌入して上記上部バンパーに取り付けることとされる。
【０００５】
また、上記特許文献２の公報のものによれば、バンパーは、車両牽引用フックを貫通可能とさせるフック孔が形成されたバンパー本体を備えている。上記フック孔を開閉可能とするフックカバーに形状が合致するカバー体が、上記バンパー本体とは個別に形成されている。上記カバー体は上記バンパー本体の裏面側に仮止めされる。そして、このバンパー本体の表面の塗装時に、上記カバー体も塗装されて上記フックカバーが成形される。
【特許文献１】特開平８−３２４３６１号公報
【特許文献２】特開２００３−３０５４０７号公報
【発明の開示】
【発明が解決しようとする課題】
【０００６】
ところで、上記特許文献１のものでは、上記したように、下部バンパーに形成されたランプ孔を閉じるためのランプカバーは上部バンパーから下方に向かって突出している。このため、これら上部バンパーとランプカバーとの組み合わせ体の外形寸法が大きくなって、この組み合わせ体を成形するのに用いられる成形型が大きくなるという不都合がある。
【０００７】
一方、上記特許文献２のものでは、バンパーが備えるバンパー本体とカバー体とは互いに個別に成形される。しかも、これらバンパー本体とカバー体との塗装時には、一旦、このカバー体をバンパー本体に仮止めすることが求められる。このため、上記バンパーへの塗装作業が煩雑になりがちである。
【０００８】
また、上記したようにバンパー本体の裏面側にカバー体が仮止めされている。このため、上記塗装時には、上記バンパー本体とカバー体との各表面は互いに離れることとなって、これら表面の各塗装条件の間に差異が生じ易くなりがちである。よって、これら各表面同士につき、塗装の色合わせがし難くなる。
【０００９】
この結果、上記カバー体を塗装することにより成形されたフックカバーを、上記バンパー本体に取り付けて上記フック孔を閉じたときには、これらバンパー本体とフックカバーとの間に色味の点で違和感が生じるおそれがある。
【課題を解決するための手段】
【００１０】
本発明は、上記のような事情に注目してなされたもので、本発明の目的は、バンパーの塗装部分に形成されたフック孔を開閉可能とするフックカバーに、形状が合致するカバー体を備えるバンパーの成形方法において、このバンパーの成形型を小さくできるようにすると共に、このバンパーへの塗装作業が容易にできるようにすることである。
【００１１】
また、本発明の他の目的は、バンパーの塗装部分とカバー体との各表面同士につき、塗装の色合わせが容易にできるようにすることである。
【００１２】
請求項１の発明は、表面５が塗装されるべき塗装部分６と、表面７が非塗装とされるべき非塗装部分８とを備え、車両牽引用フック１１を貫通可能とさせるフック孔１２を上記塗装部分６に形成し、上記非塗装部分８に開口１５を形成した車両用バンパーの成形方法において、
上記フック孔１２を開閉可能とするフックカバー１７に形状が合致するカバー体１８を設け、バンパー２の正面視（図１，３）で、上記カバー体１８の全体を上記開口１５内に配置すると共に、上記カバー体１８を上記非塗装部分８の表面７よりも外方もしくは内方に偏位させて、上記カバー体１８を上記開口１５の開口縁部の近傍における上記バンパー２の塗装部分６もしくは非塗装部分８に対し取り外し可能に一体的に固着し、上記バンパー２から上記カバー体１８を取り外した後の上記開口１５と、この開口１５の開口縁部の近傍部分とを、その外方からライセンスプレート２９により覆うようにしたものである。
【００１３】
請求項２の発明は、請求項１の発明に加えて、上記カバー体１８を上記非塗装部分８の表面７よりも外方に配置して、上記塗装部分６に対し取り外し可能に一体的に固着し、上記塗装部分６と非塗装部分８との境界線に沿って棚部２４を形成し、上記塗装部分６への塗装時に上記非塗装部分８の表面を覆うマスキング材２５の外縁部が上記棚部２４に係止可能とされるようにし、上記棚部２４の一部分に切り欠き３２を形成し、上記バンパー２の正面視（図３）で、上記塗装部分６へのカバー体１８の固着部２６側と上記切り欠き３２とを互いに同じところに配置したものである。
【００１４】
請求項３の発明は、請求項１、もしくは２の発明に加えて、上記バンパー２の正面視（図１）で、上記フック孔１２とカバー体１８とを互いにほぼ同じ高さに配置したものである。
【００１５】
なお、この項において、上記各用語に付記した符号は、本発明の技術的範囲を後述の「実施例」の項や図面の内容に限定解釈するものではない。
【発明の効果】
【００１６】
本発明による効果は、次の如くである。
【００１７】
請求項１の発明は、表面が塗装されるべき塗装部分と、表面が非塗装とされるべき非塗装部分とを備え、車両牽引用フックを貫通可能とさせるフック孔を上記塗装部分に形成し、上記非塗装部分に開口を形成した車両用バンパーの成形方法において、
上記フック孔を開閉可能とするフックカバーに形状が合致するカバー体を設け、バンパーの正面視で、上記カバー体の全体を上記開口内に配置すると共に、上記カバー体を上記非塗装部分の表面よりも外方もしくは内方に偏位させて、上記カバー体を上記開口の開口縁部の近傍における上記バンパーの塗装部分もしくは非塗装部分に対し取り外し可能に一体的に固着し、上記バンパーから上記カバー体を取り外した後の上記開口と、この開口の開口縁部の近傍部分とを、その外方からライセンスプレートにより覆うようにしている。
【００１８】
即ち、上記したように、バンパーの正面視で、上記カバー体を上記非塗装部分に形成した開口内に配置している。
【００１９】
このため、上記バンパーの正面視で、非塗装部分からカバー体が突出しない分、前記特許文献１のようにランプカバーを突出させたものに比べ、バンパーの外形を小さく抑制できて、上記バンパーの成形金型を小さくできる。
【００２０】
また、上記したように、バンパーの正面視で、上記カバー体の全体を上記開口内に配置してバンパーに一体的に固着している。
【００２１】
このため、上記開口の成形金型により上記カバー体全体の成形が可能となり、よって、上記バンパーの成形金型を、より簡単にできる。
【００２２】
また、上記したように、塗装部分もしくは非塗装部分に固着したカバー体を非塗装部分の表面よりも外方もしくは内方に配置している。
【００２３】
このため、上記塗装部分とカバー体との各表面を塗装するに際し、前記特許文献２のように、カバー体を仮止めするということは不要であり、また、上記非塗装部分の表面をマスキング材により覆うマスキング作業をするとき、上記非塗装部分の表面から上記カバー体が偏位しているために、このカバー体が邪魔になるということは防止される。よって、上記マスキング作業は容易にでき、これにより、上記バンパーへの塗装作業が容易にできる。
【００２４】
また、上記したように、カバー体を上記開口の開口縁部の近傍における上記バンパーの塗装部分もしくは非塗装部分に対し取り外し可能に一体的に固着し、上記バンパーから上記カバー体を取り外した後の上記開口と、この開口の開口縁部の近傍部分とを、その外方からライセンスプレートにより覆うようにしている。
【００２５】
このため、上記バンパーからカバー体を取り外した後に、上記バンパーへの上記カバー体の固着部の傷跡がそのまま残存するとしても、この固着部の傷跡によりバンパーの見栄えが損なわれるということは上記ライセンスプレートにより防止される。よって、上記固着部の傷跡の処理を、高精度にはしないで足りる分、上記バンパーの成形作業がより容易にできる。
【００２６】
請求項２の発明は、上記カバー体を上記非塗装部分の表面よりも外方に配置して、上記塗装部分に対し取り外し可能に一体的に固着し、上記塗装部分と非塗装部分との境界線に沿って棚部を形成し、上記塗装部分への塗装時に上記非塗装部分の表面を覆うマスキング材の外縁部が上記棚部に係止可能とされるようにしている。
【００２７】
このため、上記マスキング作業をするときには、単に、上記非塗装部分の表面とカバー体との間に上記マスキング材を配置して、このマスキング材の外縁部を上記棚部に係止させれば、上記マスキング作業が終了する。よって、このマスキング作業は容易にでき、これにより、上記バンパーへの塗装作業は、より容易にできる。
【００２８】
また、上記棚部の一部分に切り欠きを形成し、上記バンパーの正面視で、上記塗装部分へのカバー体の固着部側と上記切り欠きとを互いに同じところに配置している。
【００２９】
このため、上記塗装部分へのカバー体の固着部側の前、後方向に上記棚部が存在するということは防止され、つまり、前後方向でこれらカバー体の固着部側と棚部との間に凹部が生じることは防止される。よって、上記バンパーを射出成形するとき、上記凹部を成形するための例えばバンパーの長手方向に移動可能なスライド型等は不要であり、その分、上記バンパーの成形が、より容易にできる。
【００３０】
請求項３の発明は、上記バンパーの正面視で、上記フック孔とカバー体とを互いにほぼ同じ高さに配置している。
【００３１】
ここで、一般に横長であるバンパーへの塗装作業は、一般に、次の如くである。即ち、このバンパーの長手方向の一端部側からこのバンパーに沿ってノズルを横方向に移動させ、この移動中にバンパーに向けて上記ノズルにより塗料を噴射させる。上記ノズルが上記バンパーの他端部側に達すると、上記ノズルによるほぼ塗装幅分だけこのノズルを下方に移動させる。次に、上記とは逆の横方向に上記ノズルを移動させ、この移動中にバンパーに向けて上記ノズルにより塗料を噴射させる。このノズルが上記バンパーの一端部側に達すると、上記ノズルによるほぼ塗装幅分だけ、このノズルを下方に移動させる。以下、上記動作の繰り返しにより、バンパーへの塗装作業が行われる。
【００３２】
このため、上記したように、バンパーの正面視で、フック孔とカバー体とを互いにほぼ同じ高さに配置させてやると、上記フック孔周りの塗装部分の表面と、上記カバー体の表面とに対する各塗装条件の間の差異を小さくできる。よって、これら各表面同士につき、塗装の色合わせが容易にできることとなる。
【発明を実施するための最良の形態】
【００３３】
本発明の車両用バンパーの成形方法に関し、バンパーの塗装部分に形成されたフック孔を開閉可能とするフックカバーに、形状が合致するカバー体を備えるバンパーの成形方法において、このバンパーの成形型を小さくできるようにすると共に、このバンパーへの塗装作業が容易にできるようにする、という目的を実現するため、本発明を実施するための最良の形態は、次の如くである。
【００３４】
即ち、車両用バンパーは、表面が塗装されるべき塗装部分と、表面が非塗装とされるべき非塗装部分とを備えている。車両牽引用フックを貫通可能とさせるフック孔が上記塗装部分に形成され、上記非塗装部分に開口が形成されている。
【００３５】
上記フック孔を開閉可能とするフックカバーに形状が合致するカバー体が設けられる。バンパーの正面視で、上記カバー体の全体が上記開口内に配置されると共に、上記カバー体が上記非塗装部分の表面よりも外方もしくは内方に偏位させられて、上記カバー体が上記開口の開口縁部の近傍における上記バンパーの塗装部分もしくは非塗装部分に対し取り外し可能に一体的に固着される。また、上記バンパーから上記カバー体を取り外した後の上記開口と、この開口の開口縁部の近傍部分とが、その外方からライセンスプレートにより覆われる。
【実施例】
【００３６】
本発明をより詳細に説明するために、その実施例を添付の図に従って説明する。
【００３７】
図において、符号１は自動車で例示される車両の車体であり、符号２は、車体１の前面をその前方から覆うと共に、この車体１に支持されることとなるフロントバンパーである。具体的には、このバンパー２は、完成品であるバンパーの直前の中間成形品である。また、図中矢印Ｆｒは、この車両の進行方向の前方を示している。
【００３８】
上記バンパー２は、全体的に樹脂製であって、前、後金型により射出成形される。このバンパー２は、上記車体１の幅方向に向かって長く延び、つまり、横長に延びている。上記バンパー２は、ロボットにより作動されるノズル３から噴射される塗料４によって表面５が塗装されるべき塗装部分６と、表面７が非塗装のままに残されるべき非塗装部分８とを備えている。図１，３において、無地部分が上記塗装部分６に相当し、梨地模様部分が上記非塗装部分８に相当する。なお、上記塗装とは、下塗りや中塗り後の上塗りを意味し、非塗装部分８においても、下塗りや中塗りは行われる場合がある。
【００３９】
車両を前方に向けて牽引する際に用いられるフック１１を貫通可能とさせるフック孔１２が上記塗装部分６に形成されている。上記フック孔１２を貫通したフック１１は、上記車体１の前端部に対し締結具１３により着脱可能とされる。一方、上記非塗装部分８には、この非塗装部分８を車体１の長手方向で貫通する開口１５が形成され、この開口１５は、バンパー２の軽量化のためや、作業用などとして利用される。
【００４０】
上記バンパー２の正面視（図１，３）で、上記フック孔１２は矩形状をなしている。このフック孔１２を開閉可能とするフックカバー１７に、形状が合致する樹脂製のカバー体１８が設けられている。このカバー体１８は上記フック孔１２に内嵌してこのフック孔１２を閉じる矩形状とされている。上記カバー体１８が上記フック孔１２を閉じるとき、上記カバー体１８は上記塗装部分６に爪嵌合等の公知の係止具１９により係脱可能に係止される。
【００４１】
上記バンパー２の正面視（図１，３）で、上記カバー体１８は、その全体が上記開口１５内に配置されている。上記カバー体１８の表面２０は、このカバー体１８の上方近傍における上記塗装部分６の表面５とほぼ平行とされている。また、上記カバー体１８は、上記非塗装部分８の表面７よりも外方（前方）に偏位するよう配置され、樹脂製のステー２１により、上記塗装部分６に対し取り外し可能に一体的に固着されている。また、上記ステー２１には把手２２が一体的に形成されている。
【００４２】
上記ステー２１と把手２２とを指でつまんで捻回すれば、上記塗装部分６に対するステー２１の固着と、上記カバー体１８に対するステー２１の固着とがそれぞれ容易に解除されて、図３，４中一点鎖線で示すように、フックカバー１７が成形される。
【００４３】
上記塗装部分６の表面５と非塗装部分８の表面７との境界線に沿って上記バンパー２に棚部２４が一体的に形成されている。この棚部２４は幅の狭い溝形状をなしている。上記塗装部分６の表面５への塗装時には、上記非塗装部分８の表面７をシート状のマスキング材２５で覆うが、この際、このマスキング材２５の外縁部が上記棚部２４の溝に押し込まれることにより係止される。
【００４４】
上記ステー２１は上記カバー体１８の下縁部から下方に向かって突出し、その突出端部が上記開口１５の下部開口縁部と上記棚部２４とのそれぞれ近傍に一体的に固着されている。つまり、上記塗装部分６における上記ステー２１を介してのカバー体１８の固着部２６は、上記開口１５の開口縁部と棚部２４とのそれぞれ近傍に配置されている。
【００４５】
上記バンパー２の正面視（図１）で、上記フック孔１２とカバー体１８とは互いにほぼ同じ高さに配置されている。
【００４６】
上記バンパー２の塗装部分６、非塗装部分８、カバー体１８、係止具１９、ステー２１、および把手２２は、成形金型を構成する前、後金型により互いに一体的に形成される。その後、このバンパー２の非塗装部分８をマスキング材２５で覆い、このマスキング材２５の外縁部を上記棚部２４に係止させる。そして、ノズル３からの塗料４により、上記塗装部分６の表面５と、カバー体１８の表面２０とを塗装し、次に、このカバー体１８を取り外してフックカバー１７とすれば、完成品のバンパーが成形される。この完成品のバンパーにおける上記開口１５を、その外方（前方）から覆うライセンスプレート２９が設けられる。このライセンスプレート２９は締結具３０により上記バンパーの非塗装部分８に支持される。
【００４７】
なお、図４中三点鎖線で示すように、上記カバー体１８を、非塗装部分８の表面７よりも内方（後方）に偏位するよう配置して、非塗装部分８に一体的に固着させてもよい。この場合、上記カバー体１８に対面する上記マスキング材２５の部分には、ノズル３からの塗料４を上記カバー体１８の表面２０に到達可能とさせる開口が形成される。
【００４８】
上記構成によれば、フック孔１２を開閉可能とするフックカバー１７に形状が合致するカバー体１８を設け、バンパー２の正面視（図１，３）で、上記カバー体１８を上記開口１５内に配置すると共に、上記カバー体１８を上記非塗装部分８の表面７よりも外方もしくは内方に偏位させて、上記カバー体１８を上記塗装部分６もしくは非塗装部分８に対し取り外し可能に一体的に固着している。
【００４９】
即ち、上記したように、バンパー２の正面視（図１，３）で、上記カバー体１８を上記非塗装部分８に形成した開口１５内に配置している。
【００５０】
このため、バンパー２の正面視で、上記非塗装部分８からカバー体１８が突出しない分、前記特許文献１のようにランプカバーを突出させたものに比べ、バンパー２の外形を小さく抑制できて、上記バンパー２の成形金型を小さくできる。
【００５１】
しかも、上記カバー体１８は、その全体を上記開口１５内に配置しているため、上記開口１５の成形金型により上記カバー体１８全体の成形が可能となり、よって、上記バンパー２の成形金型を、より簡単にできる。
【００５２】
また、上記したように、塗装部分６もしくは非塗装部分８に固着したカバー体１８を非塗装部分８の表面７よりも外方もしくは内方に配置している。
【００５３】
このため、上記塗装部分６とカバー体１８との各表面５，２０を塗装するに際し、前記特許文献２のように、カバー体１８を仮止めするということは不要であり、また、上記非塗装部分８の表面７をマスキング材２５により覆うマスキング作業をするとき、上記非塗装部分８の表面７から上記カバー体１８が偏位しているために、このカバー体１８が邪魔になるということは防止される。よって、上記マスキング作業は容易にでき、これにより、上記バンパー２への塗装作業が容易にできる。
【００５４】
また、前記したように、カバー体１８を上記非塗装部分８の表面７よりも外方に配置して、上記塗装部分６に対し取り外し可能に一体的に固着し、上記塗装部分６と非塗装部分８との境界線に沿って棚部２４を形成し、上記塗装部分６への塗装時に上記非塗装部分８の表面を覆うマスキング材２５の外縁部が上記棚部２４に係止可能とされるようにしている。
【００５５】
このため、上記マスキング作業をするときには、単に、上記非塗装部分８の表面７とカバー体１８との間に上記マスキング材２５を配置して、このマスキング材２５の外縁部を上記棚部２４に係止させれば、上記マスキング作業が終了する。よって、このマスキング作業は容易にでき、これにより、上記バンパー２への塗装作業は、より容易にできる。
【００５６】
なお、図３，４中二点鎖線で示すように、棚部２４の一部分に切り欠き３２を形成し、上記バンパー２の正面視（図３）で、上記塗装部分６へのカバー体１８の固着部２６側である上記ステー２１と上記切り欠き３２とを互いに同じところに配置してもよい。
【００５７】
このようにすれば、上記塗装部分６へのカバー体１８の固着部２６側であるステー２１の前、後方向に上記棚部２４が存在するということは防止され、つまり、前後方向でこれらカバー体１８の固着部２６側と棚部２４との間に凹部が生じることは防止される。よって、上記バンパー２を射出成形するとき、上記凹部を成形するための例えばバンパー２の長手方向に移動可能なスライド型等は不要であり、その分、上記バンパー２の成形が、より容易にできる。
【００５８】
また、上記塗装部分６における上記カバー体１８の固着部２６を上記開口１５の開口縁部と上記棚部２４とのそれぞれ近傍に配置している。
【００５９】
ここで、上記カバー体１８への塗装後に、このカバー体１８を上記塗装部分６から取り外すと、この塗装部分６にはカバー体１８の固着部２６の傷跡が残ることとなり、これはバンパー２の見栄え上、好ましくない。
【００６０】
そこで、上記したように、塗装部分６におけるカバー体１８の固着部２６を開口１５の開口縁部と棚部２４とのそれぞれ近傍に配置したのであり、このため、上記カバー体１８の取り外し後に、このカバー体１８の固着部２６につき傷跡が生じるとしても、これが目立つことは抑制される。よって、上記バンパー２によれば、見栄えのよい完成品のバンパーを得ることができる。
【００６１】
また、前記したように、バンパー２の正面視（図１，３）で、上記フック孔１２とカバー体１８とを互いにほぼ同じ高さに配置している。
【００６２】
ここで、上記した横長のバンパー２への塗装作業は、次の如くである。即ち、このバンパー２の長手方向の一端部側からこのバンパー２に沿って上記ノズル３を横方向に移動させ、この移動中にバンパー２に向けて上記ノズル３により塗料４を噴射させる。上記ノズル３が上記バンパー２の他端部側に達すると、上記ノズル３によるほぼ塗装幅分だけこのノズル３を下方に移動させる。次に、上記とは逆の横方向に上記ノズル３を移動させ、この移動中にバンパー２に向けて上記ノズル３により塗料４を噴射させる。このノズル３が上記バンパー２の一端部側に達すると、上記ノズル３によるほぼ塗装幅分だけ、このノズル３を下方に移動させる。以下、上記動作の繰り返しにより、バンパー２への塗装作業が行われる。
【００６３】
このため、上記したように、バンパー２の正面視（図１，３）で、フック孔１２とカバー体１８とを互いにほぼ同じ高さに配置させてやると、上記フック孔１２周りの塗装部分６の表面５と、上記カバー体１８の表面２０とに対する各塗装条件の間の差異を小さくできる。よって、これら各表面５，２０同士につき、塗装の色合わせが容易にできることとなる。
【００６４】
また、前記したように、完成品であるバンパーの開口１５と、この開口１５の開口縁部の近傍部分とを、その外方からライセンスプレート２９により覆うようにしている。
【００６５】
このため、上記バンパー２からカバー体１８を取り外した後に、上記バンパー２への上記カバー体１８の固着部２６の傷跡がそのまま残存するとしても、この固着部２６の傷跡によりバンパーの見栄えが損なわれるということは上記ライセンスプレート２９により防止される。よって、上記固着部２６の傷跡の処理を、高精度にはしないで足りる分、上記完成品のバンパーの成形作業がより容易にできる。
【００６６】
なお、以上は図示の例によるが、車両はトラックなどであってもよい。また、バンパー２はリヤバンパーであってもよい。また、上記カバー体１８は、ステー２１を介し、もしくはステー２１を介することなく、上記開口１５の上部開口縁部に一体的に固着させてもよい。
【図面の簡単な説明】
【００６７】
【図１】バンパーの正面図である。
【図２】図１のII−II線矢視断面図である。
【図３】図１の部分拡大図である。
【図４】図３のIV−IV線矢視断面図である。
【符号の説明】
【００６８】
１    車体
２    バンパー
３    ノズル
４    塗料
５    表面
６    塗装部分
７    表面
８    非塗装部分
１１  フック
１２  フック孔
１５  開口
１７  フックカバー
１８  カバー体
２０  表面
２１  ステー
２４  棚部
２５  マスキング材
２６  固着部
２９  ライセンスプレート
【図１】
0004794305.tif 000002
【図２】
0004794305.tif 000003
【図３】
0004794305.tif 000004
【図４】
0004794305.tif 000005